(57)【要約】【課題】建具を吊り金具で吊り上げて、或いは、人が建具を持ち上げて、建具を建具枠に嵌め込む作業において、建具の上側レールを建具枠の上側枠のレールに入れた状態で、建具を建具枠の下側枠上で一旦仮置くことができ、この仮置き状態から建具の下側レールを建具枠の下側枠のレールに嵌め込むことが容易に行える建具置き具を提供する。【解決手段】サッシ窓置き具（建具置き具）９は、窓枠（建具枠）６の下側枠に置かれてサッシ窓（建具）５の下辺部を支持する。このサッシ窓置き具９は、上記下辺部の下面が当たる仮置き面部９１と、上記仮置き面部９１から下る方向に傾斜する傾斜面部９２と、突出部９３とを備える。【選択図】図１
2020105739.tif 000002
【特許請求の範囲】
【請求項１】
建具枠の下側枠上で建具を仮置く建具置き具であって、上記建具の下面が当たる仮置き面部と、上記仮置き面部から下る方向に傾斜する傾斜面部と、を備えることを特徴とする建具置き具。
【請求項２】
請求項１に記載の建具置き具において、上記仮置き面部は、当該建具置き具が上記建具枠の下側枠に置かれた状態で、水平面によって建具を支持することを特徴とする建具置き具。
【請求項３】
請求項１または請求項２に記載の建具置き具において、上記仮置き面部は、上記下側枠の凸レールの上端よりも高い位置で上記建具を支持することを特徴とする建具置き具。
【請求項４】
請求項１〜請求項３のいずれか１項に記載の建具置き具において、上記仮置き面部の端側であって上記傾斜面部が形成されない側に、上方に突出する突出部を有することを特徴とする建具置き具。
【請求項５】
請求項１〜請求項４のいずれか１項に記載の建具置き具において、上記仮置き面部における、上記傾斜面部が形成される側と反対側の位置に、上記傾斜面部の傾斜と同方向に傾斜する第２の傾斜面部を備えるとともに、この第２の傾斜面部に繋がる第２の仮置き面部を有することを特徴とする建具置き具。
【発明の詳細な説明】
【技術分野】
【０００１】
この発明は、サッシ窓等の建具を窓枠等の建具枠に取り付ける際に用いることができる建具置き具に関する。
【背景技術】
【０００２】
サッシ窓が大型化すると、少人数でサッシ窓を持ち上げて窓枠に嵌め込む作業において、各人にかかる負担が大きくなる。また、窓枠に１枚目のサッシ窓が取り付けられた状態では、取り付け空間が狭くなり、大人数で取り付け作業を行うことは困難である。
【０００３】
また、サッシ窓を機械的に吊り上げる装置として、特許文献１には、ガラス窓を保持して吊り込むと同時に、構造体へのガラス窓の取り付け作業を容易にするガラス窓の吊り込み治具が開示されている。
【先行技術文献】
【特許文献】
【０００４】
【特許文献１】特開平１０−４６８２４号公報
【発明の概要】
【発明が解決しようとする課題】
【０００５】
しかしながら、上記特許文献１の吊り込み治具は、ガラス窓のガラス部の表裏両面を吸盤で挟み込むため、大掛かりな装置となる。一方、サッシ窓の下辺部を簡易な吊り金具で引っ掛けて吊り上げた場合、サッシ窓の下側レールを窓枠の下側枠のレールに嵌め込む作業において上記吊り金具が障害になる。
【０００６】
また、人がサッシを持ち上げてサッシ窓の上側レールを窓枠の上側枠のレールに入れた状態で、サッシ窓の下側レールの位置と窓枠の上側枠のレールの位置を確認しながらサッシを下ろして嵌め込む作業を行う場合も、サッシが大型化すると、作業者の目の位置からレール位置が遠くなるため、難しい作業となる。
【０００７】
この発明は、建具を吊り金具で吊り上げて、或いは、人が建具を持ち上げて、建具を建具枠に嵌め込む作業において、建具の上側レールを建具枠の上側枠のレールに入れた状態で、建具を建具枠の下側枠上で一旦仮置くことができ、この仮置き状態から建具の下側レールを建具枠の下側枠のレールに嵌め込むことが容易に行える建具置き具を提供することを目的とする。
【課題を解決するための手段】
【０００８】
この発明の建具置き具は、上記の課題を解決するために、建具枠の下側枠上で建具を仮置く建具置き具であって、上記建具の下面が当たる仮置き面部と、上記仮置き面部から下る方向に傾斜する傾斜面部と、を備えることを特徴とする。
【０００９】
上記構成の建具置き具は、左右一組で用いられる。このような建具置き具を用いると、吊り上げた建具或いは持ち上げた建具の上側レールを建具枠の上側枠のレールに入れた後、建具枠の下側枠上であって、建具の下面の角側に当たる配置でセットしておいた一組の建具置き具に、建具を仮置くことができる。この仮置き状態において、建具枠の下側レールと建具の下側枠のレールの位置合わせが容易に行えることになる。また、この仮置き状態においては、建具の荷重が上記建具置き具にかかるため、建具の下側の中央側を吊り金具で引っ掛けて吊り上げている場合でも、上記吊り金具を建具から取り外すことができる。また、建具置き具を外す際に、上記傾斜面部によって、緩やかに建具を降ろすことができる。すなわち、上記の仮置き状態から建具の下側レールを建具枠の下側枠のレールに嵌め込む作業が容易に行えるようになる。
【００１０】
上記仮置き面部は、当該建具置き具が上記建具枠の下側枠に置かれた状態で、水平面で建具を支持してもよい。これによれば、仮置き状態において、建具を水平面で安定状態に支持することができる。
【００１１】
上記仮置き面部は、上記下側枠の凸レールの上端よりも高い位置で上記建具を支持してもよい。これによれば、上記建具の下部が上記凸レールの上端に当たらないので、下側レールの位置合わせが容易になる。
【００１２】
上記仮置き面部の端側であって上記傾斜面部が形成されない側に、上方に突出する突出部を有してもよい。これによれば、一組の建具置き具の仮置き面部上に建具を仮置きしてレール位置調整をした状態で、例えば、建具をレール方向に沿って右側に移動させると、右側に置いてある建具置き具の突出部に建具の右角部が当たり、この右側に置いてある建具置き具が右側に移動する。このとき、左側に置いてある建具置き具から建具が滑って離脱し、建具の下部側の左角のレールが建具枠の下側枠のレールに嵌る。そして、建具を左に移動させると、右側の建具置き具から建具が滑って離脱し、建具の下部側の右角のレールが建具枠の下側枠のレールに嵌る。すなわち、建具置き具を人の手で引き抜かなくても、建具を左右に移動させることで自然と建具が建具枠に嵌る。
【００１３】
上記仮置き面部における、上記傾斜面部が形成される側と反対側の位置に、上記傾斜面部の傾斜と同方向に傾斜する第２の傾斜面部を備えるとともに、この第２の傾斜面部に繋がる第２の仮置き面部を有してもよい。これによれば、１種類の建具置き具で複数種のサッシの取付に対応することができる。
【発明の効果】
【００１４】
本発明であれば、建具を吊り金具で吊り上げて、或いは、人が建具を持ち上げて、建具を建具枠に嵌め込む作業において、建具の上側レールを建具枠の上側枠のレールに入れた状態で、建具を建具枠の下側枠上で一旦仮置きすることができ、この仮置き状態から建具の下側レールを建具枠の下側枠のレールに嵌め込むことが容易に行えるという効果を奏する。
【図面の簡単な説明】
【００１５】
【図１】この発明の実施形態のサッシ窓置き具を示した説明図である。
【図２】図１のサッシ窓置き具およびサッシ窓吊具を用い、サッシ窓を窓枠に嵌め込む工程を示した説明図である。
【図３】図２のサッシ窓吊具の縦辺係合部およびサッシ窓の一部を示した概略の横断面図である。
【図４】図２のサッシ窓吊具の下辺係合部、サッシ窓置き具およびサッシ窓の下部を示した概略の縦断面図であって、同図（Ａ）は下辺係合部の取り付け状態を示し、同図（Ｂ）は下辺係合部の取り外しを示している。
【図５】図２のサッシ窓吊具を用い、サッシ窓を窓枠に嵌め込む工程を示した説明図である。
【図６】図２のサッシ窓吊具を用い、サッシ窓の上部を窓枠の上部に嵌め込む工程を示した説明図である。
【図７】図２のサッシ窓吊具を用い、サッシ窓の下部を窓枠の下部に嵌め込む工程を示した説明図である。
【図８】図１のサッシ窓置き具を用い、サッシ窓の下部を窓枠の下部に嵌め込む工程を示した説明図である。
【図９】図１のサッシ窓置き具を用い、サッシ窓の下部を窓枠の下部に嵌め込む工程において、サッシ窓の上側のレールを窓枠の上側枠のレールに押し当てた状態を示した説明図であって、同図（Ａ）は側面視の図であり、同図（Ｂ）は正面視の図である。
【図１０】図１のサッシ窓置き具を用い、サッシ窓の下部を窓枠の下部に嵌め込む工程において、サッシ窓の下側をサッシ窓置き具の仮置き面部に置いた状態を示した説明図であって、同図（Ａ）は側面視の図であり、同図（Ｂ）は正面視の図である。
【図１１】図１のサッシ窓置き具を用い、サッシ窓の下部を窓枠の下部に嵌め込む工程において、サッシ窓の下側の角部をサッシ窓置き具の傾斜面部に移動させた状態を示した説明図であって、同図（Ａ）は側面視の図であり、同図（Ｂ）は正面視の図である。
【図１２】図１のサッシ窓置き具を用い、サッシ窓の下部を窓枠の下部に嵌め込む工程において、サッシ窓の下側の角部がサッシ窓置き具の傾斜面部の最下部に位置して凸レールが凹レールに嵌った状態を示した説明図であって、同図（Ａ）は側面視の図であり、同図（Ｂ）は正面視の図である。
【図１３】この発明の他の実施形態のサッシ窓置き具を示した説明図である。
【発明を実施するための形態】
【００１６】
以下、この発明の実施形態を添付図面に基づいて説明する。図１は、この実施形態のサッシ窓置き具（建具置き具）９を示した説明図であり、図２は、屋内側で床施工前にサッシ窓吊具１をサッシ窓（建具）５に取り付け、上記サッシ窓吊具１を介してサッシ窓５を建物８の梁等に取り付けたホイスト７によって吊り上げて窓枠（建具枠）６に嵌め込む工程の一部を示している。なお、屋外側でサッシ窓吊具１をサッシ窓５に取り付けてサッシ窓５を窓枠６に嵌め込むことも可能である。上記サッシ窓置き具９は、左右１組で用いられ、また、図４（Ａ）に示すように、窓枠６の下側枠の着脱可能なフラット蓋６３を外した状態で、対象レールの屋内側に置かれて用いられる。
【００１７】
上記サッシ窓置き具９は、例えば、比較的摩擦係数が低い樹脂からなり、上記サッシ窓５の角側の下面が当たる仮置き面部９１と、上記仮置き面部９１から下る方向に傾斜する傾斜面部９２と、を備える。上記仮置き面部９１は、例えば、当該サッシ窓置き具９が上記窓枠６の下側枠に置かれた状態で、水平面となってサッシ窓５を安定支持する。
【００１８】
また、上記サッシ窓置き具９は、上記仮置き面部９１の端側であって上記傾斜面部９２が形成されない側に、上記仮置き面部９１よりも高い位置に突出する突出部９３を有する。
【００１９】
ここで、上記サッシ窓５の下部には、例えば、図８に示すように、下部側の凹レール５ａが形成されており、上部には、上部側の凹レール５ｂが形成されている。また、例えば、上記サッシ窓５が嵌め込まれる窓枠６の下側枠には、凸レール６１が形成されており、上側枠には、凸レール６２が形成されている。なお、上記サッシ窓置き具９が上記窓枠６の下側枠に置かれた際の上記仮置き面部９１の高さは、上記サッシ窓５の上記凹レール５ｂを上記窓枠６の上側枠の凸レール６２に嵌めて上記凸レール６２の下端が凹レール５ｂの奥端に当たる状態において、上記サッシ窓５の下面よりも低い高さとなり、支障なく上記仮置き面部９１上にサッシ窓５を仮置くことができる。
【００２０】
以下に、上記サッシ窓吊具１について、簡単に説明する。このサッシ窓吊具１には、上記サッシ窓５の下辺部５１の中央側（非角側）に係合される下辺係合部１１と、上記サッシ窓５の左右の縦辺部５２にそれぞれ係合される縦辺係合部１２と、上記下辺係合部１１および上記縦辺係合部１２に取り付けられた吊部材２とを備える。上記下辺係合部１１および上記縦辺係合部１２は、例えば、金属素材からなり、上記吊部材２は、例えば、ナイロンスリングからなる。また、上記下辺係合部１１および上記縦辺係合部１２には、スリットが形成されており、このスリットに上記吊部材２の端部が差し込まれて留め付けられている。
【００２１】
上記吊部材２は、例えば、上記下辺係合部１１に連結される第１部材２１と、上記縦辺係合部１２に連結される第２部材２２とを備える。上記第１部材２１は縦方向に配置され、上記第２部材２２は横方向に配置されており、例えば、これらは十字状に交差し、交差部で互いに縫合されている。また、上記第１部材２１の上端部にリング部材（カラビナ等）２３が留め付けられており、このリング部材２３にホイスト７のフック７１を引っかけることができる。第１部材２１および第２部材２２は長さ調整機構（バックル等）２１ａ，２２ｂを備えている。
【００２２】
図３に示すように、上記縦辺係合部１２は、サッシ窓５の縦辺部５２を挟むように位置する第１縦面部１２ａおよび第２縦面部１２ｂと、上記第１縦面部１２ａと上記第２縦面部１２ｂとを繋ぐ繋ぎ部１２ｃとを備える。上記第１縦面部１２ａと上記第２縦面部１２ｂとの間隔（繋ぎ部１２ｃの幅）は、サッシ窓５の厚みよりも広くされている。上記第２縦面部１２ｂには螺子孔が形成されており、この螺子孔に螺子部付きの押し当て具１２ｄを螺合させてある。この押し当て具１２ｄの先端当たり部をサッシ窓５のフレームに当てることで、上記縦辺係合部１２をサッシ窓５に緩みなく装着できる。
【００２３】
また、図４（Ａ）に示すように、上記下辺係合部１１は、サッシ窓５の下辺部５１の凹レール５ａに差し込まれる第１立上部１１ａと、この第１立上部１１ａに対向する第２立上部１１ｂと、上記第１立上部１１ａと上記第２立上部１１ｂとの下部を繋ぐ繋ぎ部１１ｃとを備える。
【００２４】
上記下辺係合部１１の第１立上部１１ａは、サッシ窓５の下辺部５１の凹レール５ａに差し込まれており、サッシ窓５の後述する仮置き状態において、図４（Ｂ）に示すように、当該下辺係合部１１を傾倒させて上記第１立上部１１ａを凹レール５ａから離脱させることができる。また、この離脱の際に、上記繋ぎ部１１ｃが窓枠６の下側枠の凸レール６１に当たるのを回避できる。
【００２５】
次に、上記サッシ窓５の上記窓枠６への取り付け工程について説明する。
【００２６】
図５に示すように、上記サッシ窓５を上記サッシ窓吊具１で吊り上げる。
【００２７】
そして、図９（Ａ）および図９（Ｂ）に示すように、吊り上げたサッシ窓５の上部側の位置調整を行い、この上部側の凹レール５ｂを窓枠６の上部側の凸レール６２に嵌める。このとき、上記凸レール６２の下端を凹レール５ｂの奥端に当たる状態を形成する。
【００２８】
さらに、図６、図１０（Ａ）および図１０（Ｂ）に示すように、窓枠６の下部側であって、サッシ窓５の下辺部５１の両角部を受ける配置でセットした一組の上記サッシ窓置き具９に、サッシ窓５の両角部を置いて、サッシ窓５を仮置く。この仮置き状態においては、サッシ窓５の荷重が上記サッシ窓置き具９にかかるため、上記吊部材２における上記第１部材２１を緩めて、下辺係合部１１をサッシ窓５の下辺部５１から取り外すことができる。
【００２９】
また、上記仮置き状態において、上記サッシ窓５と窓枠６の下側のレール位置合わせを行うことができる。また、上記仮置き面部９１は、上記凸レール６１の上端よりも高い位置で上記サッシ窓５を支持するので、上記サッシ窓５の下面が上記凸レール６１の上端に当たることがなく、上記のレール位置合わせが容易に行える。
【００３０】
上記の位置合わせの後、図７、図１１（Ａ）、図１１（Ｂ）、図１２（Ａ）および図１２（Ｂ）に示すように、上記サッシ窓置き具９を横に移動させることで、サッシ窓５の下辺部５１の凹レール５ａが窓枠６の下側の凸レール６１に嵌り込む。上記サッシ窓置き具９の横への移動は、作業者が手で引き抜くことにより行うこともできるが、後述するように、簡単な操作で上記サッシ窓置き具９を外すことができる。
【００３１】
上記サッシ窓置き具９が、上記の突出部９３を有する構成であると、上記のように、一組のサッシ窓置き具９の仮置き面部９１上にサッシ窓５を仮置きしてレール位置合わせをした状態で、例えば、サッシ窓５をレール方向に沿って右側に移動させると、右側に置いてあるサッシ窓置き具９の突出部９３にサッシ窓の下辺部の右角部が当たり、この右側に置いてあるサッシ窓置き具９が右側に移動する。このとき、図１１（Ａ）、図１１（Ｂ）に示したように、左側に置いてあるサッシ窓置き具９からサッシ窓５が滑って離脱し、サッシ窓５の下部側の左角の凹レール５ａが窓枠６の凸レール６１に嵌る。そして、サッシ窓５を左に移動させると、右側のサッシ窓置き具９からサッシ窓５が滑って離脱し、サッシ窓５の下部側の右角の凹レール５ａが窓枠の下側枠の凸レール６１に嵌る。すなわち、サッシ窓置き具９を人の手で引き抜かなくても、サッシ窓５を左右に移動させることでサッシ窓置き具９が外れて、自然とサッシ窓５が窓枠６に嵌る。
【００３２】
なお、上記仮置き面部９１は、平坦面に限らず、母材に微小な凹凸を形成した凹凸面であってもよい。また、上記仮置き面部９１は、母材にシールや板材を貼り付けた別部材からなる面であってもよい。また、上記サッシ窓置き具９の底面についても、平坦面に限らず、母材に微小な凹凸を形成した凹凸面であってもよいし、母材にシールや板材を貼り付けた別部材からなる面であってもよい。また、図４（Ａ）では、太仮想線で示したサッシ窓置き具９（屋内側）と細仮想線で示したサッシ窓置き具９（屋外側）とが同じ形状であるとしたが、上記フラット蓋６３を外して露呈される底部の形状や深さによって、両者の高さや形状が異なる場合もある。
【００３３】
また、サッシ窓置き具９として、図１３に示すように、サッシ窓置き具９Ａを用いてもよい。このサッシ窓置き具９Ａは、上記仮置き面部９１における、上記傾斜面部９２が形成される側と反対側の位置に、上記傾斜面部９２の傾斜と同方向に傾斜する第２の傾斜面部９２Ａを備えるとともに、この第２の傾斜面部９２Ａに繋がる第２の仮置き面部９１Ａを有する。これによれば、１種類のサッシ窓置き具で複数種のサッシ（例えば、上記フラット蓋６３を外して露呈される底部の形状や深さが異なる場合）の取付に対応することができる。
【００３４】
なお、上記の実施形態では、建具としてサッシ窓５を例示したが、これに限らず、ドアや戸などの建具を建具枠に取り付けることにも利用できる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１      ：サッシ窓吊具（建具吊具）
２      ：吊部材
５      ：サッシ窓（建具）
５ａ    ：凹レール
５ａ    ：凹レール
５ｂ    ：凹レール
６      ：窓枠（建具枠）
７      ：ホイスト
８      ：建物
９      ：サッシ窓置き具（建具置き具）
９Ａ    ：サッシ窓置き具（建具置き具）
１１    ：下辺係合部
１１ａ  ：第１立上部
１１ｂ  ：第２立上部
１１ｃ  ：繋ぎ部
１２    ：縦辺係合部
１２ａ  ：第１縦面部
１２ｂ  ：第２縦面部
１２ｃ  ：繋ぎ部
１２ｄ  ：押し当て具
２１    ：第１部材
２２    ：第２部材
２３    ：リング部材
５１    ：下辺部
５２    ：縦辺部
６１    ：凸レール
６２    ：凸レール
６３    ：フラット蓋
７１    ：フック
９１    ：仮置き面部
９１Ａ  ：第２の仮置き面部
９２    ：傾斜面部
９２Ａ  ：第２の傾斜面部
９３    ：突出部
【図１】
2020105739.tif 000003
【図２】
2020105739.tif 000004
【図３】
2020105739.tif 000005
【図４】
2020105739.tif 000006
【図５】
2020105739.tif 000007
【図６】
2020105739.tif 000008
【図７】
2020105739.tif 000009
【図８】
2020105739.tif 000010
【図９】
2020105739.tif 000011
【図１０】
2020105739.tif 000012
【図１１】
2020105739.tif 000013
【図１２】
2020105739.tif 000014
【図１３】
2020105739.tif 000015